(57)【要約】【課題】定規を用いて線を引く際に、手ブレに起因する指示部のブレを防止すると共に、ユーザのイメージにより近い線を引くことができる、位置指示器用芯及び位置指示器を提供する。【解決手段】位置指示器用芯２０３は、第二軸部３０５の太さのままでは、定規の縁を用いたガイド機能を利用できない。そこで、第二軸部３０５よりも細い第一軸部３０３を第二軸部３０５の先端に設けた。そして、定規を用いて線を引く際に、第一軸部３０３と当該定規の側面が線で接触できるように、指示部３０２及び第一軸部３０３の、軸方向の長さを設定してある。【選択図】図３
2010020406.tif 000002
【特許請求の範囲】
【請求項１】
円柱状の第一軸部と、
前記第一軸部の軸方向の一端に配設され、前記第一軸部の直径より太い直径を有する円柱状の第二軸部と、
を備える位置指示器用芯。
【請求項２】
更に、
前記第一軸部の前記一端と、前記第二軸部の一端との間に円錐台状のテーパ部を備える、請求項１に記載の位置指示器用芯。
【請求項３】
前記テーパ部の上底部分の直径は、前記第一軸部の直径以上かつ前記第二軸部の直径以下である、請求項２に記載位置指示器用芯。
【請求項４】
前記第一軸部はその直径が０．５ｍｍ以上であると共に軸方向の長さが前記直径の１．５倍以上であり、
前記第二軸部の直径は前記第一軸部の直径の１．５倍以上である請求項３に記載の位置指示器用芯。
【請求項５】
円形状の開口部を有する中空の筐体と、
前記筐体に収納され、かつ円柱状の第一軸部と、前記第一軸部の軸方向の一端に配設され、前記第一軸部の直径より太い直径を有する円柱状の第二軸部と、よりなる位置指示器用芯と、
前記筐体に収納され、前記第一軸部が前記開口部より突出する位置に前記位置指示器用芯を固定する芯ホルダと、
を備える位置指示器。
【請求項６】
更に、
コイルとコンデンサよりなる共振回路を備える請求項５に記載の位置指示器。
【発明の詳細な説明】
【技術分野】
【０００１】
本発明は、位置指示器に適用して好適な技術に関する。
より詳細には、位置指示器で指示する位置の正確性を向上させる技術に関する。
【背景技術】
【０００２】
近年、パーソナルコンピュータ等の入力デバイスとして座標入力装置が用いられている。この座標入力装置は、例えば、ペン型に形成された位置指示器と、この位置指示器を用いて、ポインティング操作や文字及び図等の入力を行う入力面を有する位置検出装置から構成されている。
【０００３】
ここで、本発明の基となる従来技術の位置指示器を図８〜図１１を参照して説明する。
【０００４】
図８は位置検出装置を示す斜視図である。
図８に示すように、位置検出装置８０１は、位置指示器８０２の指示位置を検出する略長方形の位置検出面８０４を有する本体部８０３と、この位置検出面８０４に情報を入力する、ペン型の位置指示器８０２等を備えて構成されている。この位置検出装置８０１は、本体部８０３をパーソナルコンピュータやＰＤＡ（Personal Digital Assistant）等の図示しない外部装置にケーブル８０５を介して接続することによって、これら外部装置の入力装置として用いられるものである。
【０００５】
位置指示器８０２は、電磁誘導方式により位置検出面８０４に対して位置を指示するものである。位置指示器８０２は、本体部８０３から送信される特定周波数の電磁波に対して共振する共振回路を有しており、この共振回路で検出した共振信号を本体部８０３に送信することにより位置検出面８０４に対して位置を指示するようになっている。
【０００６】
図９は、従来の位置指示器８０２の断面図である。図９に示すように、位置指示器８０２は、筐体であるケース９０２と、位置指示器用芯９０３と、位置検出用コイル９０５と、固定基板９０４と、フェライトコア９０６と、回路基板９０７等を備えて構成されている。
【０００７】
位置指示器８０２のケース９０２は、軸方向の一端側が略円錐状を成しており、その先端に開口部９０８を有している。この開口部９０８の内径は、位置指示器用芯９０３の軸部（図１０にて後述する）の直径と略等しくなっている。また、このケース９０２の軸方向の他端側が閉じられた円筒型を成している。
【０００８】
位置指示器用芯９０３は棒状の部材からなり、位置指示器用芯９０３の一端が開口部９０８から突出するようにケース９０２の軸方向に沿ってケース９０２内に収納されている。そして、この位置指示器用芯９０３の他端には固定基板９０４に固定された可変容量コンデンサ９０９が取り付けられている。
【０００９】
この可変容量コンデンサ９０９は、フェライトコア９０６と共に位置指示器用芯９０３を固定する芯ホルダの役割をしている。可変容量コンデンサ９０９は、位置指示器用芯９０３の先端に圧力（筆圧）がかかると、かかった圧力に応じて容量値が変化するものである。そして、この可変容量コンデンサ９０９は、フェライトコア９０６、位置検出用コイル９０５及び回路基板９０７に電気的に接続されている。
【００１０】
フェライトコア９０６及び位置検出用コイル９０５は、位置検出装置に対して最も近い位置になるように、位置指示器８０２の一端に設けられており、位置指示器用芯９０３を取り囲むようにケース９０２内に配置される。また回路基板９０７は、位置指示器８０２の他端に設けられている。これらの、可変容量コンデンサ９０９、位置検出用コイル９０５及び回路基板９０７に設けられる図示しないコンデンサが、前述の共振回路を構成する。
【００１１】
次に、位置指示器用芯９０３の詳細について図１０を参照して説明する。
図１０は、従来の位置指示器用芯９０３を示す図である。
図１０（ａ）は、従来の位置指示器用芯９０３の斜視図である。
図１０（ｂ）は、図９（ａ）に示す位置指示器用芯９０３をｃ−ｃ’線部分の断面図である。
位置指示器用芯９０３は、ペン先の役割を有する指示部１００２と、指示部１００２に連続する軸部１００３とから構成されている。
【００１２】
指示部１００２は、略円錐状を成しており、軸方向の長さｌ３は、約２．５ｍｍである。軸部１００３は略円柱状を成しており、その直径ｒ３は約１．７５ｍｍである。
【００１３】
位置指示器用芯９０３の材質は、前述の共振回路の共振を妨げないように、非金属の物質、例えば硬質のプラスチックや、炭素繊維又はガラス繊維を混合したプラスチック等が用いられる。
【００１４】
ユーザは、位置指示器８０２で位置検出装置８０１の位置検出面８０４上に直線を引く場合、シャープペンシル等で紙面上に直線を引く時と同様に定規を用いる傾向がある。何故ならば、既に作成済みの所定の図面をトレースする等の場合、描画ソフトが備える直線作成機能を用いると、必ずしも作成したい直線が作成したい位置に描画できるとは限らないからである。このため、一旦作成した直線を所望の箇所に移動する等の作業が別途発生するため、描画作業が非効率的に成りがちである。そこで、シャープペンシル等で、紙に線を引く場合と同様に定規を用いると、描きたい場所に直線を直接描くことができる。
【００１５】
その使用方法の詳細として、位置指示器８０２で位置検出装置８０１の位置検出面８０４上に直線を引く場合の一例を示す。
図１１は、従来の位置指示器用芯９０３の使用状態を示す図である。
【００１６】
図１１（ａ）は位置指示器用芯９０３の使用状態を真上から見た説明図である。
図１１（ａ）に示すｘ方向は、位置検出面８０４の長手方向と平行な方向である。また、ｙ方向は、位置検出面８０４の短手方向と平行な方向である。従って、ｘ方向およびｙ方向は位置検出面８０４に平行な方向になる。
図１１（ｂ）は図１１（ａ）に示すＢ−Ｂ’線部分の断面図である。
実際には、位置指示器用芯９０３は位置指示器８０２に取り付けられて使用されるが、ここでは位置指示器用芯９０３にフォーカスして動作を説明する。
まず、ユーザは、手で位置検出面８０４上に定規１１０２を固定する。図１１（ａ）に示すように、ここでは、定規５０３の短辺がｘ方向と平行になり、長辺がｙ方向に平行となるようにする。
【００１７】
定規１１０２を位置検出面８０４に固定した後、ユーザは、位置指示器８０２のケース９０２を握り、位置指示器用芯９０３の指示部１００２を固定した定規１１０２の側面１１０３に沿って移動させる。このようにして、ユーザは、位置検出面８０４上の定規１１０２の側面１１０３から距離ｇ１だけ離れた位置に所定の長さの直線を引くことができる。
なお、本発明の先行技術が記載された特許文献１を以下に示す。
【００１８】
【特許文献１】特開２００１−３１９８３１号公報
【発明の開示】
【発明が解決しようとする課題】
【００１９】
ところで、シャープペンシルで紙面上に線を引く場合には、シャープペンシルの芯の側壁部は平らであるので、この芯の側壁部と定規の側面１１０３とが常に接触した（以下、「ガイド機能」という）状態で線を引くことができる。そのため、芯の先端は図１１のｘ方向にぶれないので、真っ直ぐの線を適格に描くことができる。
しかしながら、位置指示器用芯９０３の指示部１００２は略円錐状であり、軸方向の長さｌ３は２．５ｍｍであるので、図１１に示すように定規１１０２の側面１１０３と指示部１００２はほとんど接触しない。つまり、位置指示器用芯９０３のような形状では定規１１０２の側面１１０３によるガイド機能が効果的に得られない。このため、定規１１０２を使用して線を引いている最中に、手ぶれ等により位置指示器用芯９０３がｘ方向、例えば第一の位置１１０４あるいは第二の位置１１０５等にぶれることがある。すなわち、指示部１００２と位置検出面８０４の接触点から定規１１０２の側面１１０３までの距離ｇ１を一定に保つことができなくなり、引いた線が歪んでしまう、という問題があった。
【課題を解決するための手段】
【００２０】
上記課題を解決するため、本発明による位置指示器用芯は、円柱状の第一軸部と、第一軸部の軸方向の一端に配接され、第一軸部の直径より太い直径である円柱状の第二軸部と、を備えるものである。
【００２１】
位置指示器用芯は、第二軸部の太さのままでは、定規の縁を用いたガイド機能を利用できない。そこで、第二軸部よりも細い第一軸部を第二軸部の先端に設けた。そして、定規を用いて線を引く際に、第一軸部と当該定規の側面が線で接触できるように、指示部及び第一軸部の、軸方向の長さを設定してある。
【００２２】
上記構成によれば、定規によるガイド機能をより有効に得ることができるだけでなく、当該定規の側面からより近い位置に線を引くことができる。
【発明の効果】
【００２３】
本発明により、定規を用いて線を引く際に、手ブレに起因する指示部のブレを防止すると共に、ユーザのイメージにより近い線を引くことができる、位置指示器用芯及び位置指示器を提供することができる。
【発明を実施するための最良の形態】
【００２４】
以下、本発明の一実施の形態の例について、図１〜図５参照しながら説明する。
本例では、電磁誘導方式の位置検出装置に対して入力を行うための位置指示器を例とする。
【００２５】
図１は位置検出装置を示す斜視図である。
図１に示すように、位置検出１０１は、位置指示器１０２の指示位置を検出する略長方形の位置検出面１０４を有する本体部１０３と、この位置検出面１０４に情報を入力する、ペン型の位置指示器１０２等を備えて構成されている。この位置検出装置１０１は、本体部１０３をパーソナルコンピュータやＰＤＡ（Personal Digital Assistant）等の図示しない外部装置にケーブル１０５を介して接続することによって、これら外部装置の入力装置として用いられるものである。
【００２６】
位置指示器１０２は、電磁誘導方式により位置検出面１０４に対して位置を指示するものである。位置指示器１０２は、本体部１０３から送信される特定周波数の電磁波に対して共振する共振回路を有しており、この共振回路で検出した共振信号を本体部１０３に送信することにより位置検出面１０４に対して位置を指示するようになっている。
【００２７】
図２は、位置指示器１０２の断面図である。図２に示すように、位置指示器１０２は、筐体であるケース２０２と、位置指示器用芯２０３と、固定基板２０４と、位置検出用コイル２０５と、フェライトコア２０６と、回路基板２０７等を備える。
【００２８】
位置指示器１０２のケース２０２は、軸方向の一端側が略円錐状をなしており、その先端に開口部２０８を有している。この開口部２０８の内径は、後述する位置指示器用芯２０３の第二軸部３０５の直径と略等しくなっている。また、このケース２０２の軸方向の他端側は、閉じられた円筒型をなしている。
【００２９】
位置指示器用芯２０３は棒状の部材からなる。位置指示器用芯２０３は、ケース２０２の軸方向に沿ってケース２０２内に収納されている。そして、この位置指示器用芯２０３の他端には固定基板２０４に固定された可変容量コンデンサ２０９が取り付けられている。なお、位置指示器用芯２０３の詳細については図３にて後述する。
【００３０】
この可変容量コンデンサ２０９は、フェライトコア２０６と共に位置指示器用芯２０３を固定する芯ホルダの役割をしている。可変容量コンデンサ２０９は、位置指示器用芯２０３の先端に圧力（筆圧）がかかると、圧力に応じて容量値が変化するものである。そして、この可変容量コンデンサ２０９は、フェライトコア２０６、位置検出用コイル２０５及び回路基板２０７に電気的に接続されている。
【００３１】
フェライトコア２０６及び位置検出用コイル２０５は、位置指示器１０２の一端側に設けられており、位置指示器用芯２０３を取り囲むようにケース２０２内に配置される。また回路基板２０７は、位置指示器１０２の他端に設けられている。そして、可変容量コンデンサ２０９、位置検出用コイル２０５及び回路基板２０７に設けられる図示しないコンデンサが、前述の共振回路を構成する。
【００３２】
次に、位置指示器用芯２０３の詳細について図３を参照して説明する。
図３は、位置指示器用芯２０３を示す図である。
図３（ａ）は、位置指示器用芯２０３の斜視図である。
図３（ｂ）は、図３（ａ）に示す位置指示器用芯２０３をａ−ａ’線部分の断面図である。
位置指示器用芯２０３は、ペン先の役割を有する指示部３０２と、この指示部３０２に連続する第一軸部３０３と、この第一軸部３０３に連続するテーパ部３０４と、テーパ部３０４に連続する第二軸部３０５から構成されている。
【００３３】
指示部３０２は、略半球状を成しており、その半球の半径は約０．５ｍｍ以下であることが好ましい。第一軸部３０３は略円柱状を成しており、その直径ｅ１は、約１．０ｍｍであり、０．５ｍｍ以上であることが望ましい。第一軸部３０３の軸方向の長さｌ１は、当該第一軸部３０３の直径ｅ１の１．５倍程度であり、約１．５ｍｍである。
【００３４】
第二軸部３０５は、略円柱状を成している。第二軸部３０５の直径ｒ１は、第一軸部３０３の直径の１．５倍以上であり、約１．７５ｍｍとなっている。テーパ部３０４は、略円錐台状を成している。円錐台状のテーパ部３０４の上底部分の直径は第一軸部３０３の直径ｅ１と略等しいことが好ましく、下底部分の直径は第二軸部３０５の直径ｒ１と略等しいことが好ましい。また、テーパ部３０４の軸方向の長さｄ１は、第一軸部３０３の軸方向の長さｌ１の１／３程度が好ましく、約０．５ｍｍである。
【００３５】
位置指示器用芯２０３の材質は、前述の共振回路の共振を妨げないように、非金属の物質、例えば硬質のプラスチックや、炭素繊維又はガラス繊維を混合したプラスチック等が用いられる。
【００３６】
次に、位置指示器１０２用芯の各部の好適な長さについて図４を参照して説明する。
図４（ａ）、（ｂ）及び（ｃ）は、位置指示器１０２の一端を示す一部拡大断面図である。
図４（ａ）は、位置指示器用芯２０３をケース２０２内に収納した状態の一例を示す。
位置指示器用芯２０３をケース２０２内に収納した際に、図４（ａ）に示すように、指示部３０２、第一軸部３０３及びテーパ部３０４が、位置指示器１０２のケース２０２の開口部２０８から外側に突出している。テーパ部３０４の下底部と開口部２０８の端部とが略軸方向に略同じ位置となっている。
図４（ｂ）は、位置指示器用芯２０３をケース２０２内に収納した状態のもう一つの一例を示す。図４（ａ）との相違点は、図４（ａ）は第二軸部３０５が開口部２０８から露出しない位置にあるのに対し、図４（ｂ）では、第二軸部３０５の一部が開口部２０８から露出している点である。
以上のような構成としたのは、指示部３０２に力が加わった際に、開口部２０８の内側の側壁で第二軸部３０５を支えることにより、位置指示器用芯２０３の強度を確保するためである。
【００３７】
ここで、位置指示器用芯２０３をケース２０２内に収納した際に、図４（ｃ）に示すように、指示部３０２及び第一軸部３０３の一部がケース２０２の開口部２０８から外側に突出するように位置指示器用芯２０３を構成したとする。このような場合、第一軸部３０３と開口部２０８に隙間が生じる。そのため、指示部３０２に力が加わった際に、開口部２０８の内側の側壁で第一軸部３０３を支えることができなくなる。最悪の場合、位置指示器用芯２０３が、位置指示器１０２の内部で折れてしまう。したがって、図４（ｃ）に示すように位置指示器用芯２０３を構成することは好ましくない。
【００３８】
次に、本発明の位置指示器用芯２０３の使用方法について図５に従って説明する。その使用方法の詳細として、位置指示器１０２で位置検出装置１０１の位置検出面１０４上に直線を引く場合の一例を示す。
【００３９】
図５（ａ）は位置指示器用芯２０３の使用状態を真上から見た説明図である。
図５（ａ）に示すｘ方向は、位置検出面１０４の長手方向と平行な方向である。また、ｙ方向は、位置検出面１０４の短手方向と平行な方向である。従って、ｘ方向およびｙ方向は位置検出面１０４に平行な方向になる。
図５（ｂ）は図５（ａ）に示すＡ−Ａ’線部分の断面図である。
実際には、位置指示器用芯２０３は位置指示器１０２に取り付けられて使用されるが、ここでは位置指示器用芯２０３にフォーカスして動作を説明する。
【００４０】
まず、ユーザは手で位置検出面１０４上に長方形の定規５０３を固定する。図５（ａ）に示すように、本例では、定規５０３の短辺がｘ方向と平行であり、長辺がｙ方向と平行である。
【００４１】
定規５０３を位置検出面１０４上に固定した後、ユーザは、位置指示器１０２のケース２０２を握り、位置指示器用芯２０３の第一軸部３０３の側面を定規５０３の側面５０４に接触させると共に、指示部３０２の先端を位置検出面１０４に接触させる。このような状態を保ったまま、定規５０３の側面５０４と平行方向、すなわちｙ方向に位置指示器１０２を移動させる。つまり、シャープペンシルを用いて定規で直線を引く作業と全く同じ操作を行う。こうすることにより、定規５０３からガイド機能が得られるので、ユーザは位置検出面１０４上に定規５０３の側面５０４から一定の位置に、ｘ方向にぶれることなく安定した直線を引くことができる。
【００４２】
ところで、定規５０３の側面５０４の厚みｆ１は一般的に１．０ｍｍ程度であり、位置指示器用芯２０３の指示部３０２の軸方向の長さは約０．５ｍｍである。そのため、図５（ｂ）に示すように、第一軸部３０３の円柱部分と、定規５０３の側面５０４とが直線で接触するようにガイドして位置検出面１０４上に直線を引くと、指示部３０２の位置検出面１０４と接触する点が常にｅ１／２の位置になるように第一軸部３０３が動くこととなる。これにより、ユーザは、常に定規５０３の側面５０４からｅ１／２の位置に安定した直線を引くことができる。
【００４３】
本実施形態の応用例を以下に示す。
（１）上述した一実施形態において、図３に示す位置指示器用芯２０３を用いたが、その代替として図６に示す位置指示器用芯６０１を用いてもよい。
以下、図６を参照して、他の実施形態の位置指示器用芯６０１の詳細を説明する。
【００４４】
図６は、他の実施形態の位置指示器用芯６０１を示す図である。
図６（ａ）は、位置指示器用芯６０１の斜視図である。
図６（ｂ）は、図６（ａ）に示す位置指示器用芯６０１をｂ−ｂ’線部分の断面図である。
位置指示器用芯６０１は、ペン先の役割を有する指示部６０２と、指示部６０２に連続する第一軸部６０３と、第一軸部６０３に連続する第二軸部６０４とから構成されている。すなわち、一実施形態の位置指示器用芯２０３からテーパ部３０４を除いた構成となっている。
【００４５】
指示部６０２は、略半球状を成しており、その半球の半径は約０．５ｍｍ以下であることが好ましい。第一軸部６０３は略円柱状を成しており、その直径ｅ２は、約１．０ｍｍであり、０．５ｍｍ以上が望ましい。第一軸部６０３の軸方向の長さｌ２は、当該第一軸部６０３の直径ｅ２の１．５倍程度が好ましく、約１．５ｍｍである。
【００４６】
第二軸部６０４は、略円筒状を成しており、その直径ｒ２は第一軸部６０３の直径ｅ２より大きいことが望ましい。具体的なｒ２は、１．７５ｍｍ程度である。
【００４７】
位置指示器用芯６０１の材質も、前述と同様に、例えば硬質のプラスチックや、炭素繊維又はガラス繊維を混合したプラスチック等が考えられる。
【００４８】
本実施形態の位置指示器用芯６０１も一実施形態の位置指示器用芯２０３と同様に、第一軸部６０３の円柱部分と、定規５０３の側面５０４とが線で接触するようにして位置検出面１０４上に線を引くとする。すると、指示部６０２の位置検出面と接触する点から定規５０３の側面５０４までの距離が常にｅ２／２の位置になるように第一軸部６０３が動くこととなる。これにより、ユーザは、常に定規５０３の側面５０４からｅ２／２の位置に線を引くことができる。
【００４９】
（２）上述した実施形態の位置指示器用芯２０３は図７に示すように構成してもよい。つまり、テーパ部３０４の上底部分の直径が第一軸部３０３の直径ｅ１以上かつ第二軸部３０５の直径ｒ１未満であり、テーパ部３０４の下底部分の直径が第二軸部３０５の直径ｒ１以下かつ第一の軸部の直径より大きくなるようにテーパ部３０４を形成してもよい。
【００５０】
（３）上述した実施形態において、位置指示器用芯２０３，６０１の指示部３０２，６０２の形状を略半球状としたが、位置指示器用芯の軸の略中心に先端部分（突起部分）を備えるような指示部であればいかなる形状であってもよい。代替となるような指示部の例としては、略円錐状のものが挙げられる。
【００５１】
（４）上述した実施形態では、共振回路を構成するコンデンサを可変容量コンデンサにて形成し、筆圧を可変容量コンデンサで検出することで、共振周波数を変更していた。この代わりに、コイルを可変コイルで実装してもよい。
【００５２】
（５）上述した実施形態では、電磁誘導方式の位置検出装置を例示して説明したが、本発明は交換可能となる芯を有する位置検出装置であれば、位置検出の方式は問わない。例えば、ＰＤＡやタッチパネルに用いられる感圧式の位置検出装置や静電誘導方式の位置検出装置に用いるペンの芯に用いてもよい。
【００５３】
以上説明したように、位置指示器用芯は、第二軸部の太さのままでは、定規の縁を用いたガイド機能を利用できない。そこで、第二軸部よりも細い第一軸部を第二軸部の先端に設けた。そして、定規を用いて線を引く際に、第一軸部と当該定規の側面が線で接触できるように、指示部及び第一軸部の、軸方向の長さを設定した。これにより、常に指示部の半球の半径の１／２の位置に線を引くことができる。すなわち、第一軸部の円筒部分と定規の縁とが線で接触することで、定規によるガイド機能をより有効に得られるので、手ブレに起因する、指示部と位置検出面との接触点のブレを防止する、という効果がある。
【００５４】
また、本発明の位置指示器用芯の第一軸部は第二軸部より細くなっている。そのため、従来の位置指示器指示器よりも定規から近い位置に線を引くことができる。すなわち、よりユーザがイメージしている位置に線を引くことができる、という効果がある。
【００５５】
さらに、電磁誘導方式の位置検出装置用の位置指示器に本発明の位置指示器を適用すると、定規を使って線を引く際、当該位置指示器の共振回路を定規の側面に近い位置にもっていくことができる。そのため、電磁誘導方式の位置検出装置用の位置指示器の芯として本発明の位置指示器用芯を用いても、ユーザがイメージしている位置に線を引くことができる、という効果がある。
【００５６】
また、上述した実施形態では、直線を引くための定規を用いたが、いかなる形状の定規を用いても同様の効果を得ることができるのはいうまでもない。
【００５７】
なお、上述した実施形態では、説明の便宜上、位置指示器用芯を電磁誘導方式の位置検出装置用の位置指示器の芯として適応した。しかし、位置指示器用芯が、抵抗膜を用いた周知の感圧式等他の方式の位置検出装置用の位置指示器にも適応可能であることは勿論である。
【００５８】
以上、本発明の実施形態の例について説明したが、本発明は上記実施形態例に限定されるものではなく、特許請求の範囲に記載した本発明の要旨を逸脱しない限りにおいて、他の変形例、応用例を含むことはいうまでもない。
【図面の簡単な説明】
【００５９】
【図１】位置検出装置を示す斜視図である。
【図２】位置指示器の断面を示す断面図である。
【図３】本発明の一実施形態に係る位置指示器用芯を示す図である。
【図４】位置指示器の先端部分を示す拡大図である。
【図５】本発明の一実施形態に係る位置指示器用芯の使用状態を示す図である。
【図６】本発明の他の実施形態に係る位置指示器用芯を示す図である。
【図７】位置指示器用芯の先端部分を示す拡大図である。
【図８】位置検出装置を示す斜視図である。
【図９】従来の位置指示器の断面を示す断面図である。
【図１０】従来の位置指示器用芯を示す図である。
【図１１】従来の位置指示器用芯の使用状態を示す図である。
【符号の説明】
【００６０】
１０１…位置検出装置、１０２…位置指示器、１０３…本体部、１０４…位置検出面、１０５…ケーブル、２０２…ケース（筐体）、２０３…位置指示器用芯、２０４…固定基板、２０５…位置検出用コイル、２０６…フェライトコア、２０７…回路基板、２０８…開口部、２０９…可変容量コンデンサ、３０２…指示部、３０３…第一軸部、３０４…テーパ部、３０５…第二軸部、５０３…定規、５０４…側面、６０１…位置指示器用芯、６０２…指示部、６０３…第一軸部、６０４…第二軸部、８０１…一検出装置、８０２…位置指示器、８０３…本体部、８０４…位置検出面、８０５…ケーブル、９０２…ケース（筐体）、９０３…位置指示器用芯、９０４…固定基板、９０５…位置検出用コイル、９０６…フェライトコア、９０７…回路基板、９０８…開口部、９０９…可変容量コンデンサ、１００２…指示部、１００３…軸部、１１０２…定規、１１０３…側面、１１０４…第一の位置、１１０５…第二の位置
【図１】
2010020406.tif 000003
【図２】
2010020406.tif 000004
【図３】
2010020406.tif 000005
【図４】
2010020406.tif 000006
【図５】
2010020406.tif 000007
【図６】
2010020406.tif 000008
【図７】
2010020406.tif 000009
【図８】
2010020406.tif 000010
【図９】
2010020406.tif 000011
【図１０】
2010020406.tif 000012
【図１１】
2010020406.tif 000013